(57)【要約】【課題】  未開梱のままで消耗品の適合判定を可能にする無線タグを利用した消耗品使用可否判定装置およびこれを用いた画像形成装置を提供する。【解決手段】  自機で使用可能な消耗品の製品コードを記憶する適合消耗品製品コード記憶部１１と、消耗品に付いている無線タグとで情報を送受信する対無線タグ送受信部１０と、無線タグから受信した情報から消耗品の製品コードを読み出す製品コード読出し手段と、製品コード読出し手段で読み出された製品コードと、適合消耗品製品コード記憶部１１に記憶されている製品コードとが、一致するかどうかを判定する製品コード一致判定手段と、製品コード一致判定手段による判定結果を、ユーザに通知する判定結果通知手段と、を備え、自機に使用可能は消耗品の消耗品適合判定を行う。【選択図】  図１
2005186538.tif 000002
【特許請求の範囲】
【請求項１】
自機で使用可能な消耗品の製品コードを記憶する適合消耗品製品コード記憶手段と、
消耗品に付いている無線タグと、情報を送受信する対無線タグ送受信手段と、
前記無線タグから受信した情報から前記消耗品の製品コードを読み出す製品コード読出し手段と、
前記製品コード読出し手段で読み出された前記製品コードと、前記適合消耗品製品コード記憶手段に記憶されている製品コードとが、一致するかどうかを判定する製品コード一致判定手段と、
前記製品コード一致判定手段による判定結果を、ユーザに通知する判定結果通知手段と、を備え、
自機に使用可能は消耗品の消耗品適合判定を行うことを特徴とする消耗品使用可否判定装置。
【請求項２】
操作部を備え、前記操作部からの操作により前記消耗品適合判定を開始し、
前記消耗品適合判定の開始操作が行われた場合、前記無線タグとの通信を行うことを特徴とする請求項１記載の消耗品使用可否判定装置。
【請求項３】
表示部を備え、前記判定結果通知手段は、前記表示部に前記判定結果を表示することを特徴とする請求項１記載の消耗品使用可否判定装置。
【請求項４】
自機で使用可能な消耗品の製品コードと製品名・型名とを対にして記憶する適合消耗品製品コードおよび製品名・型名記憶手段を有し、
前記製品コード一致判定手段による前記製品コードに基く前記判定結果により前記消耗品が自機に適合する場合に、前記消耗品の前記製品コードと対になっている製品名・型名をも表示することを特徴とする請求項１記載の消耗品使用可否判定装置。
【請求項５】
前記製品コード一致判定手段による前記製品コードに基く前記判定結果により前記消耗品が自機に適合しない場合に、自機に適合する消耗品の製品コードと対になっている製品名・型名をも表示することを特徴とする請求項４記載の消耗品使用可否判定装置。
【請求項６】
自機で使用可能な消耗品の製品コードと対にして、その消耗品を交換する手順を示したガイダンス情報を記憶する消耗品交換手順ガイダンス情報記憶手段を有し、
前記製品コード一致判定手段による前記判定結果が適合の場合、前記適合結果を表示した後、対になっている前記ガイダンス情報を表示することを特徴とする請求項１記載の消耗品使用可否判定装置。
【請求項７】
自機内に既にセットされている消耗品の製品コードと製品毎の固有コードとを記憶する既セット消耗品製品コードおよび製品毎の固有コード記憶手段と、
前記無線タグから受信した前記消耗品の情報から製品コードと製品毎の固有コードとを取得する消耗品製品コードおよび固有コード取得手段と、
前記消耗品製品コードおよび固有コード取得手段で取得した前記製品コードと製品毎の固有コードと記憶されている製品コードと製品毎の固有コードとの一致を判定する判定手段と、を有し、
前記判定手段により一致していると判定された場合、前記無線タグを持つ消耗品は既にセットされていると判断し、
前記判定手段により一致していないと判定された場合、前記無線タグを持つ消耗品は新しい消耗品と判断し、新しい消耗品に対してだけ消耗品適合判定を行うことを特徴とする請求項１から６のいずれか１項に記載の消耗品使用可否判定装置。
【請求項８】
前記消耗品の前記消耗品使用可否判定装置を備える装置への着脱を検知する消耗品着脱検知手段を有し、
前記消耗品着脱検知手段が、前記消耗品の装置へのセットを検知した場合、前記消耗品の無線タグと通信を行い、受信した情報から前記消耗品の製品コードと製品毎の固有コードとを取得し、その情報を前記既セット消耗品製品コードおよび製品毎の固有コード記憶手段に、新しくセットされた消耗品として記憶することを特徴とする請求項１から７のいずれか１項に記載の消耗品使用可否判定装置。
【請求項９】
前記消耗品はインクカートリッジやプロセスカートリッジであることを特徴とする請求項１から８のいずれか１項に記載の消耗品使用可否判定装置。
【請求項１０】
請求項１から９のいずれか１項に記載の消耗品使用可否判定装置を備えることを特徴とする、プリンタ、コピー、ファクシミリ、複合機、印刷機等の画像形成装置。
【発明の詳細な説明】
【技術分野】
【０００１】
本発明は、プリンタ、コピー、ファクシミリ等の画像形成装置に使用されるインク、トナー等の消耗品の使用可否判定を適正に行うことが可能な無線タグを利用した消耗品使用可否判定装置およびこれを用いた画像形成装置に関する。
【背景技術】
【０００２】
従来、プリンタ、コピー、ファクシミリ等に使用されるインク、トナー等の消耗品の管理については、これを適正にする方法が考案されてきている。
【０００３】
従来の技術として特許文献１がある。
【特許文献１】特開２００２−３３１６８６号公報
【０００４】
特許文献１では、消耗品が純正品または推奨品であるか否かの判定を行って消耗品が純正品または推奨品でない場合は印刷前に警告を出すようにしている。
【０００５】
しかしながら、この従来技術だけでは以下の問題点を解決することができない。すなわち、何種類ものプリンタ、コピー、ファクシミリ、またこれらの複合機が設置してあるオフィスにおいては、機種毎に消耗品を管理することは煩雑であり、実際に、インク切れ、トナー切れが起きた際に、いったいどの消耗品がどの機種の消耗品なのか迷ってしまうこともしばしばある。
【０００６】
全ての消耗品が純正品または推奨品で複数の機種の消耗品が混ざっている場合、従来技術においては純正品または推奨品であるか否かの判定しか行っていないので、該当機種の消耗品を判定することはできない。消耗品を探すには、メーカのユーザマニュアル等を見て該当する消耗品の型番を確認してユーザ自身が判断する必要がある。また、ユーザマニュアルが消耗品をセットする装置の近くにない場合も十分考えられる。
【０００７】
また、該当する機種の近くに消耗品が置いてあったので、開梱してセットしてみたら違う機種の消耗品だっとということも十分考えられる。
【０００８】
また、消耗品を交換するのに梱包箱の絵を見たりするが、やはり慣れないとわかりにくい。また、動画等で消耗品交換の手順を示したガイダンス情報が装置内部に機能としては準備されているが、その機能を動作させることをユーザが知らなかったりすることもある。
【０００９】
このような場合に、該当する機種の簡単な操作で未開梱の消耗品が、その機種に適合する消耗品であるか否かが判断できることが求められている。型番を頼りに持ってきた消耗品も開梱前に判定できれば、間違って開梱することもなくなる。消耗品は湿気を嫌うので、未開梱のものと、開梱したものとでは、保管できる期間も異なる。開梱して保管すれば所望の性能が出なくなるおそれもある。
【発明の開示】
【発明が解決しようとする課題】
【００１０】
本発明は、上記問題点に鑑みてなされたものであり、未開梱のままで消耗品の適合判定を可能にする無線タグを利用した消耗品使用可否判定装置およびこれを用いた画像形成装置を提供することを目的とする。また、消耗品適合判定で適合となれば、その後、消耗品交換の手順を示すガイダンス情報を表示することで、消耗品の交換をスムーズに行うことが可能な消耗品使用可否判定装置およびこれを用いた画像形成装置を提供することを目的とする。
【課題を解決するための手段】
【００１１】
上記目的を達成するために、請求項１記載の発明は、消耗品使用可否判定装置において、自機で使用可能な消耗品の製品コードを記憶する適合消耗品製品コード記憶手段と、消耗品に付いている無線タグと、情報を送受信する対無線タグ送受信手段と、無線タグから受信した情報から消耗品の製品コードを読み出す製品コード読出し手段と、製品コード読出し手段で読み出された製品コードと、適合消耗品製品コード記憶手段に記憶されている製品コードとが、一致するかどうかを判定する製品コード一致判定手段と、製品コード一致判定手段による判定結果を、ユーザに通知する判定結果通知手段と、を備え、自機に使用可能は消耗品の消耗品適合判定を行うことを特徴とする。
【００１２】
請求項２記載の発明は、請求項１記載の発明において、操作部を備え、操作部からの操作により消耗品適合判定を開始し、消耗品適合判定の開始操作が行われた場合、無線タグとの通信を行うことを特徴とする。
【００１３】
請求項３記載の発明は、請求項１記載の発明において、表示部を備え、判定結果通知手段は、表示部に判定結果を表示することを特徴とする。
【００１４】
請求項４記載の発明は、請求項１記載の発明において、自機で使用可能な消耗品の製品コードと製品名・型名とを対にして記憶する適合消耗品製品コードおよび製品名・型名記憶手段を有し、製品コード一致判定手段による製品コードに基く判定結果により消耗品が自機に適合する場合に、消耗品の製品コードと対になっている製品名・型名をも表示することを特徴とする。
【００１５】
請求項５記載の発明は、請求項４記載の発明において、製品コード一致判定手段による製品コードに基く判定結果により消耗品が自機に適合しない場合に、自機に適合する消耗品の製品コードと対になっている製品名・型名をも表示することを特徴とする。
【００１６】
請求項６記載の発明は、請求項１記載の発明において、自機で使用可能な消耗品の製品コードと対にして、その消耗品を交換する手順を示したガイダンス情報を記憶する消耗品交換手順ガイダンス情報記憶手段を有し、製品コード一致判定手段による判定結果が適合の場合、適合結果を表示した後、対になっているガイダンス情報を表示することを特徴とする。
【００１７】
請求項７記載の発明は、請求項１から６のいずれか１項に記載の発明において、自機内に既にセットされている消耗品の製品コードと製品毎の固有コードとを記憶する既セット消耗品製品コードおよび製品毎の固有コード記憶手段と、無線タグから受信した消耗品の情報から製品コードと製品毎の固有コードとを取得する消耗品製品コードおよび固有コード取得手段と、消耗品製品コードおよび固有コード取得手段で取得した製品コードと製品毎の固有コードと記憶されている製品コードと製品毎の固有コードとの一致を判定する判定手段と、を有し、判定手段により一致していると判定された場合、無線タグを持つ消耗品は既にセットされていると判断し、判定手段により一致していないと判定された場合、無線タグを持つ消耗品は新しい消耗品と判断し、新しい消耗品に対してだけ消耗品適合判定を行うことを特徴とする。
【００１８】
請求項８記載の発明は、請求項１から７のいずれか１項に記載の発明において、消耗品の消耗品使用可否判定装置を備える装置への着脱を検知する消耗品着脱検知手段を有し、消耗品着脱検知手段が、消耗品の装置へのセットを検知した場合、消耗品の無線タグと通信を行い、受信した情報から消耗品の製品コードと製品毎の固有コードとを取得し、その情報を既セット消耗品製品コードおよび製品毎の固有コード記憶手段に、新しくセットされた消耗品として記憶することを特徴とする。
【００１９】
請求項９記載の発明は、請求項１から８のいずれか１項に記載の発明において、消耗品はインクカートリッジやプロセスカートリッジであることを特徴とする。
【００２０】
請求項１０記載の発明は、請求項１から９のいずれか１項に記載の消耗品使用可否判定装置を備えるプリンタ、コピー、ファクシミリ、複合機、印刷機等の画像形成装置であることを特徴とする。
【発明の効果】
【００２１】
本発明の消耗品使用可否判定装置においては、自機で使用可能な消耗品の製品コードを記憶する手段と、消耗品に付いている無線タグから送信される情報を受信する手段と、受信した情報から消耗品の製品コードを取得する手段と、取得した製品コードと自機に記憶されている製品コードとの一致を判定する手段と、その判定結果をユーザに通知する手段とを備えているので、未開梱のままで消耗品の適合判定が可能となる。
【発明を実施するための最良の形態】
【００２２】
本装置（消耗品使用可否判定装置を備えた装置）に適合するかどうかを判定したい消耗品を本装置の近傍に置く。次に、操作表示部より消耗品適合判定開始の入力を行う。対無線タグ送受信部から無線タグに対して電波信号送出し、無線タグが応答したら、無線タグ内のメモリデータを受信する。対無線タグ送受信部は、受信した情報をＲＡＭに格納し、所定のｂｉｔ列から製品コードを読み出す。次に、適合消耗品製品コード記憶部から自機に適合する消耗品の製品コードを読み出す。ＣＰＵは、製品コード同士を比較して、一致するかどうかを判定する。判定結果はユーザに通知する。一致する場合、判定対象の消耗品は本装置に適合していて、使用可能であることをユーザに操作表示部で通知する。次に、適合消耗品製品コードおよび製品名・型名記憶部から製品コードと対になっている製品名・型名を読み出す。読み出した製品名・型名を適合結果とともに操作表示部の表示部に表示する。適合した場合、操作表示部にその消耗品を交換する手順を示したガイダンス情報（動画等）を表示するかどうかを表示する。ユーザが、ガイダンス情報の表示希望を操作表示部で入力した場合、消耗品交換手順ガイダンス情報記憶部からガイダンス情報を読み出す。そのガイダンス情報を操作表示部の表示部に表示する。ＣＰＵが製品コード同士を比較して、一致しなかった場合、判定対象の消耗品は本装置に適合していないことをユーザに操作表示部で通知する。次に、適合消耗品製品コードおよび製品名・型名記憶部から製品コードと対になっている自機の消耗品として使用可能な製品名・型名を読み出す。読み出した製品名・型名を使用可能な消耗品として表示し、ユーザに使用可能な消耗品製品名・型名を通知する。
【００２３】
図面を参照し、本発明の実施形態を詳細に説明する。
【００２４】
図１は、本発明の実施形態における消耗品使用可否判定装置の概略構成を示すブロック図である。図１に示すように、本発明の実施形態における消耗品使用可否判定装置は、ＣＰＵ１、ＲＯＭ２、ＲＡＭ３、操作表示部４、自機内消耗品５、消耗品着脱検知部６、無線タグ送受信部１０、適合消耗品製品コード記憶部１１、適合消耗品製品コードおよび製品名・型名記憶部１２、消耗品交換手順ガイダンス情報記憶部１３、既セット消耗品製品コードおよび製品毎の固有コード記憶部１４、を有し、これらは、システムバス９で相互に接続されている。
【００２５】
ＣＰＵ１は、消耗品使用可否判定装置の各部を制御し、かつ、装置全体を制御する。ＲＯＭ２は、オペレーティングシステム等を記憶し、ＲＡＭ３はデータ等を記憶する。操作表示部４は、ユーザによる操作を入力し、また、装置の現在の状況等を表示する。自機内消耗品５は、自機に既にセットされている消耗品を示す。例えば、自機にセットされ使用しているインクカートリッジやプロセスカートリッジである。消耗品着脱検知部６は、消耗品の装置への着脱を検知する。操作表示部４は、操作部（図示せず）と表示部（図示せず）を有している。
【００２６】
無線タグ送受信部１０は、消耗品に付いている無線タグと通信して無線タグの情報を読み出すリーダである。適合消耗品製品コード記憶部１１は、自機の消耗品として使用可能な消耗品の製品コードを記憶しておく記憶部である。構成としては、ＲＡＭ３内に設けても構わない。適合消耗品製品コードおよび製品名・型名記憶部１２は、自機の消耗品として使用可能な消耗品の製品コードと製品名・型名を対にして記憶しておく記憶部である。同じく、構成としてＲＡＭ３内に設けても構わない。
【００２７】
消耗品交換手順ガイダンス情報記憶部１３は、消耗品を交換する手順を示したガイダンス情報を記憶する記憶部である。既セット消耗品製品コードおよび製品毎の固有コード記憶部１４は、自機内に既にセットされている消耗品の製品コードと製品毎の固有コード（シリアル番号等）とを記憶する記憶部である。
【００２８】
図示していないが、消耗品使用可否判定装置が、画像処理部、画像記録部を持てばプリンタ装置となり、さらに画像読み取り部をもてば、コピー装置となる。また、ファクシミリモデム等の通信制御部を持てばファクシミリ装置となる。これらの機能を併せ持てば複合機となる。
【００２９】
図２は、図１に示した対無線タグ送受信部１０の概略構成を示すブロック図である。図２に示すように、対無線タグ送受信部１０は、変復調制御回路２０、変復調制御回路２０で受信したデータを変調する変調回路２１、受信した電波から受信データを取り出す復調回路２３を有し、構成される。
【００３０】
図３は、本発明の実施形態における消耗品に付いている無線タグの概略構成を示すブロック図である。図３に示すように、無線タグ３０は、電源が供給されなくても、データを保持するメモリであるＥＥＰＲＯＭ３１、データを変調して送信したり、電波を復調してデータを取り出す変復調回路３２、無線タグ３０が受信した電波の磁界からＬで電流を発生させてＣで平滑化し、ＥＥＰＲＯＭ３１および変復調回路３２の回路に電源Ｖｄｄを供給する整流平滑回路３３を有し構成される。
【００３１】
図４は、本発明の実施形態における消耗品使用可否判定装置の動作を示すフローチャートである。図４を参照し、本発明の実施形態の動作を説明する。
【００３２】
まず、本装置で使用可能かどうか（適合するかどうか）を判定したい消耗品を本装置の近傍に置く（ステップＳ１）。ここで、本装置とは、消耗品使用可否判定装置であり、さらには、消耗品使用可否判定装置を備えた、プリンタ、コピー、ファクシミリ、これらの複合機、印刷機等の画像形成装置を意味する。すなわち、消耗品に付けてある無線タグ３０と本装置の無線タグリーダである対無線タグ送受信部１０とが通信可能な範囲にくるように置く。
【００３３】
次に、操作表示部４より、消耗品適合判定開始の入力を待つ（ステップＳ２）、消耗品適合判定用には、専用のボタンを設けてもよいし、いくつかのボタン操作で実現するようにしてもよい。
【００３４】
操作表示部４より消耗品適合判定開始の入力が行われた場合（ステップＳ２のＹｅｓ）、対無線タグ送受信部１０から無線タグ３０に対して電波信号（搬送波）を送出し、無線タグ３０が応答したら、無線タグ３０内のＥＥＰＲＯＭ３１内のメモリデータを受信する（ステップＳ３）。
【００３５】
対無線タグ送受信部１０は、受信した情報をＲＡＭ３に格納し、所定のｂｉｔ列から製品コードを読み出す（ステップＳ４）。次に、適合消耗品製品コード記憶部１１から自機に適合する消耗品の製品コードを読み出す（ステップＳ５）。
【００３６】
ＣＰＵ１は、製品コード同士を比較して、一致するかどうかを判定する（ステップＳ６）。判定結果はユーザに通知する。一致する場合（ステップＳ６のＹｅｓ）、判定対象の消耗品は本装置に適合していて、使用可能であることをユーザに通知する（ステップＳ７）。通知結果は、操作表示部４の表示部に表示される。
【００３７】
次に、適合消耗品製品コードおよび製品名・型名記憶部１２から製品コードと対になっている製品名・型名を読み出す（ステップＳ８）。読み出した製品名・型名を適合結果とともに操作表示部４の表示部に表示する（ステップＳ９）。
【００３８】
適合した場合、操作表示部４にその消耗品を交換する手順を示すガイダンス情報（動画等）を表示するかどうかを表示する（ステップＳ１０）。この場合、数秒後に自動的にガイダンス情報を読み出し、表示するようにしてもよい。
【００３９】
ユーザが、ガイダンス情報の表示希望を操作表示部４で入力した場合（ステップＳ１０のＹｅｓ）、消耗品交換手順ガイダンス情報記憶部１３からガイダンス情報を読み出す（ステップＳ１１）。そのガイダンス情報を操作表示部４の表示部に表示する（ステップＳ１２）。このガイダンス情報を操作表示部４に表示後、消耗品使用可否判定を終了する。
【００４０】
ＣＰＵ１が製品コード同士を比較して、一致しなかった場合（ステップＳ６のＮｏ）、判定結果をユーザに通知する。すなわち、判定対象の消耗品は本装置に適合していないことをユーザに通知する（ステップＳ１３）。通知結果は、操作表示部４の表示部に表示される。
【００４１】
次に、適合消耗品製品コードおよび製品名・型名記憶部１２から製品コードと対になっている自機の消耗品として使用可能な製品名・型名を読み出す（ステップＳ１４）。読み出した製品名・型名を使用可能な消耗品として表示し、ユーザに使用可能な消耗品の製品名・型名を通知する（ステップＳ１５）。この通知により、消耗品使用可否判定を終了する。
【００４２】
ステップＳ１０で、ユーザが、ガイダンス情報の表示を希望しないと操作表示部４で入力した場合（ステップＳ１０のＮｏ）、消耗品使用可否判定を終了する。
【００４３】
対無線タグ送受信部１０が、無線タグ３０と通信した際に、自機内に既にセットされている消耗品の無線タグ３０が応答した場合、対無線タグ送受信部１０は、製品コードと製品毎の固有コード（シリアル番号等）を調べる。調べた結果、既セット消耗品製品コードおよび製品毎の固有コード記憶部１４の情報と一致すれば、その無線タグ３０の消耗品は、既に自機にセットされている消耗品と判断し、次の無線タグ３０と通信し、製品毎の固有コードが一致しなければ、新規の消耗品と判断し、消耗品使用可否判定の対象物と認定する。
【００４４】
また、新たな適合可能な消耗品を、現在セットされている消耗品とを交換した場合、消耗品着脱検知部６が、この着脱を検知し、無線タグ３０との通信を行い、受信した情報から新たな消耗品の製品コードと製品毎の固有コードとを取得する。その新しい情報を既にセットされている交換前の消耗品情報と交換し、既セット消耗品製品コードおよび製品毎の固有コード記憶部１４に記憶する。これにより、新たに交換した消耗品の情報が、既セット消耗品製品コードおよび製品毎の固有コード記憶部１４に記憶される。この無線タグ３０との通信は、操作表示部４からの入力をトリガにしても構わない。
【００４５】
以上、実施形態を詳細に説明したが、本発明の消耗品使用可否判定装置においては、自機で使用可能な消耗品の製品コードを記憶する手段と、消耗品に付いている無線タグから送信される情報を受信する手段と、受信した情報から消耗品の製品コードを取得する手段と、取得した製品コードと自機に記憶されている製品コードとの一致を判定する手段と、その判定結果をユーザに通知する手段とを備えているので、未開梱のままで消耗品の適合判定が可能となる。
【００４６】
また、本発明の消耗品使用可否判定装置においては、操作表示部を備え、操作操作部からの操作により消耗品適合判定を開始する手段を備え、消耗品適合判定開始の操作が行われたら、消耗品に付いている無線タグとの通信を行うので、未開梱のままで消耗品の適合判定が可能となる。また、常に無線タグとの通信をしなくて済むので経済的である。
【００４７】
また、本発明の消耗品使用可否判定装置においては、操作表示部を備え、消耗品適合判定結果を操作表示部に表示させる手段を備えているので、未開梱のままで消耗品の適合判定が可能となる。また、視認性が向上する。
【００４８】
また、本発明の消耗品使用可否判定装置においては、自機で使用可能な消耗品の製品コードと製品名・型名とを対にして記憶する手段と、製品コードによる判定の結果適合する場合には対になっている製品名・型名をも表示する手段を備えているので、未開梱のままで消耗品の適合判定を可能となる。また、判定した製品名・型名を確認できるのでユーザに安心感を与える。
【００４９】
また、本発明の消耗品使用可否判定装置においては、自機で使用可能な消耗品の製品コードと製品名・型名とを対にして記憶する手段と、判定の結果適合しない場合には、適合する製品名・型名をも表示する手段を備えているので、不適合となった場合でも、適合する製品の製品名・型名をユーザに通知することが可能となる。
【００５０】
また、本発明の消耗品使用可否判定装置においては、自機で使用可能な消耗品の製品コードと対にして、その消耗品を交換する手順を示したガイダンス情報を記憶する手段を備え、判定の結果適合する場合には、適合判定結果を表示した後、対になっているガイダンス情報を表示する手段を備えているので、消耗品の交換をスムーズに行わせることが可能となる。
【００５１】
また、本発明の消耗品使用可否判定装置においては、自機内に既にセットされている消耗品の製品コードと製品毎の固有コードとを記憶する手段と、無線タグから受信した情報から製品コードと製品毎の固有コードとを取得する手段と、取得した製品コードと製品毎の固有コードと記憶されている製品コードと製品毎の固有コードとの一致を判定する手段とを備え、一致した無線タグを持つ消耗品は既にセットされていると判断し、一致しなかった無線タグを持つ消耗品は自機内には無い新しい消耗品と判断し、新しい消耗品に対してだけ消耗品適合判定のチェックを行うので、自機に既にセットされている消耗品以外の消耗品に対してだけ、消耗品適合判定が行えるようにすることが可能となる。
【００５２】
また、本発明の消耗品使用可否判定装置においては、消耗品の着脱を検知する手段を備え、消耗品の着脱を検知した場合、無線タグとの通信を行い、受信した情報から製品コードと製品毎の固有コードとを取得し、新たにセットされた消耗品の情報を、既セット消耗品情報として記憶するので、自動的にセットされた消耗品の情報を記憶することが可能となる。
【００５３】
また、本発明の消耗品使用可否判定装置においては、上記消耗品はインクカートリッジやプロセスカートリッジであるので、インクカートリッジやプロセスカートリッジにおいて、未開梱のままで消耗品の適合判定が可能となる。
【００５４】
また、本発明の消耗品使用可否判定装置を備える画像形成装置においては、上記消耗品使用可否判定装置を備えているので、未開梱のままで消耗品の適合判定が可能となる。
【００５５】
本発明の実施形態について、上記のように詳細に説明したが、上記の実施形態は、本発明の好適な実施の形態の例であり、これに限定されるものではなく、本発明の要旨を逸脱しない範囲において種々変形して実施することが可能である。
【図面の簡単な説明】
【００５６】
【図１】本発明の実施形態における消耗品使用可否判定装置の概略構成を示すブロック図である。
【図２】図１に示した対無線タグ送受信部の概略構成を示すブロック図である。
【図３】本発明の実施形態における消耗品に付いている無線タグの概略構成を示すブロック図である。
【図４】本発明の実施形態における消耗品使用可否判定装置の動作を示すフローチャートである。
【符号の説明】
【００５７】
１    ＣＰＵ
２    ＲＯＭ
３    ＲＡＭ
４    操作表示部
５    自機内消耗品
６    消耗品着脱検知部
９    システムバス
１０    無線タグ送受信部
１１    適合消耗品製品コード記憶部
１２    適合消耗品製品コードおよび製品名・型名記憶部
１３    消耗品交換手順ガイダンス情報記憶部
１４    既セット消耗品製品コードおよび製品毎の固有コード記憶部
２０    変復調制御回路
２１    変調回路
２３    復調回路
３０    無線タグ
３１    ＥＥＰＲＯＭ
３２    変復調回路
３３    整流平滑回路
【図１】
2005186538.tif 000003
【図２】
2005186538.tif 000004
【図３】
2005186538.tif 000005
【図４】
2005186538.tif 000006